(57)【要約】【課題】給湯器と他の機器の間で通信を必要とせずに浴室の加湿暖房を行うことが可能な加湿暖房システムに使用される換気装置を提供することを目的とする。【解決手段】本発明の換気装置は、浴槽４が設置された浴室１００に繋がる吸込口３１ａと、室外空間４００に繋がる排気口３１ｂと、吸込口３１ａと排気口３１ｂを繋ぐ風路３１ｃが形成されたケーシング３１と、吸込口３１ａから排気口３１ｂへ向かう気流を生じさせる風路３１ｃ内に設けられた送風機３２と、予め定められたサンプリング時間ＴＢの間の浴室４の湿度上昇量ΔＨが、予め定められた閾湿度上昇量ΔＨＴ以上である場合に送風機３２を停止させる制御部３５と、を備えたことを特徴としている。【選択図】図１
2016205708.tif 000002
【特許請求の範囲】
【請求項１】
浴槽が設置された浴室に繋がる吸込口と、前記浴室とは異なる空間に繋がる排気口と、前記吸込口と前記排気口を繋ぐ風路が形成されたケーシングと、
前記吸込口から前記排気口へ向かう気流を生じさせる前記風路内に設けられた送風機と、
予め定められた第１の時間の間の前記浴室の湿度上昇量が、予め定められた閾湿度上昇量以上である場合に前記送風機を停止させる送風機制御部と、
を備える換気装置。
【請求項２】
浴槽が設置された浴室に繋がる吸込口と、前記浴室とは異なる空間に繋がる排気口と、前記吸込口と前記排気口を繋ぐ風路が形成されたケーシングと、
前記吸込口から前記排気口へ向かう気流を生じさせる送風機と、
前記浴室の温度が予め定められた閾温度以下であり、予め定められた第１の時間の間の前記浴室の湿度上昇量が予め定められた閾湿度上昇量以上である場合に前記送風機を停止させる送風機制御部と、
を備える換気装置。
【請求項３】
前記浴室の湿度を測定する湿度センサより前記湿度センサが測定した前記浴室の湿度を取得する浴室内湿度取得部と、
前記浴室内湿度取得部が取得した前記浴室の湿度に基づき、前記浴室の湿度上昇量を演算する湿度上昇量判定部と、
を備える請求項１又は２のいずれかに記載の換気装置。
【請求項４】
前記湿度上昇量判定部は、最も新しい前記浴室内湿度取得部が取得した前記浴室の湿度より前記第１の時間前に前記浴室内湿度取得部が取得した前記浴室の湿度を減算することによって前記浴室の湿度上昇量を演算する請求項３に記載の換気装置。
【請求項５】
前記送風機制御部は、前記送風機の停止後に、予め定められた第２の時間が経過すると前記送風機の運転を再開する請求項１から４のいずれかに記載の換気装置。
【請求項６】
前記送風機制御部は、前記送風機の停止から予め定められた第２の時間が経過するまでの前記浴室の温度上昇量が、予め定められた閾温度上昇量未満である場合は前記送風機の運転を再開し、前記閾温度上昇量以上である場合はさらに第３の時間が経過してから前記送風機の運転を再開する請求項１から４のいずれかに記載の換気装置。
【請求項７】
前記浴室の温度を測定する温度センサより前記温度センサが測定した前記浴室の温度を取得する浴室内温度取得部と、
前記浴室内温度取得部が取得した前記浴室の温度に基づき、前記浴室の温度上昇量を演算する温度上昇量判定部と、
を備える請求項６に記載の換気装置。
【請求項８】
前記温度上昇量判定部は、前記送風機が停止してから第２の時間経過後に前記浴室内温度取得部が取得した前記浴室の温度より前記送風機を停止した際に前記浴室内温度取得部が取得した前記浴室の温度を減算することによって浴室の温度上昇量を演算する請求項７に記載の換気装置。
【請求項９】
前記温度センサは、前記送風機よりも前記吸込口側の前記風路内に設けられており、
前記吸込口は、前記浴室のうち前記浴槽が設置された位置よりも高い位置で繋がっている請求項７又は８に記載の換気装置。
【請求項１０】
浴室に設置され、上面に開口が形成された浴槽と、
前記浴槽に沸き上げた湯を供給する給湯器と、
前記浴室に繋がる吸込口と、前記浴室とは異なる空間に繋がる排気口と、前記吸込口と前記排気口を繋ぐ風路が形成されたケーシングと、前記吸込口から前記排気口へ向かう気流を生じさせる前記風路内に設けられた送風機と、予め定められた第１の時間の間の前記浴室の湿度上昇量が、予め定められた閾湿度上昇量以上である場合に前記送風機を停止させる送風機制御部と、を備える換気装置と、
を有する加湿暖房システム。
【請求項１１】
浴室に設置され、上面に開口が形成された浴槽と、
前記浴槽に沸き上げた湯を供給する給湯器と、
前記浴室に繋がる吸込口と、前記浴室とは異なる空間に繋がる排気口と、前記吸込口と前記排気口を繋ぐ風路が形成されたケーシングと、前記吸込口から前記排気口へ向かう気流を生じさせる送風機と、前記浴室の温度が予め定められた閾温度以下であり、予め定められた第１の時間の間の前記浴室の湿度上昇量が予め定められた閾湿度上昇量以上である場合に前記送風機を停止させる送風機制御部と、を備える換気装置と、
を有する加湿暖房システム。
【発明の詳細な説明】
【技術分野】
【０００１】
本発明は、浴室に設置される換気装置及び当該換気装置を用いた加湿暖房システムに関するものである。
【背景技術】
【０００２】
近年、使用者が浴室に入った際に受ける冷感を緩和するために、使用者が浴室に入る前に浴室の加湿暖房を行うことで浴室内を入浴に適した温度及び湿度に調整する加湿暖房システムが提案されている。
【０００３】
このような加湿暖房システムとして、例えば特許文献１のような加湿暖房システムが挙げられる。特許文献１の加湿暖房システムは、浴室の加湿暖房を行う加湿暖房機と、浴室に設置された浴槽に給湯を行う給湯器と、給湯器を用いて浴槽に湯張りを行う運転が選択される給湯器操作部と、を有し、給湯器操作部で浴槽に湯張りを行う運転が選択されると、湯張りを行う運転と連動して加湿暖房機で浴室の加湿暖房を行う運転が実行される。
【先行技術文献】
【特許文献】
【０００４】
【特許文献１】特開２００８−２２４１６０号公報
【発明の概要】
【発明が解決しようとする課題】
【０００５】
しかしながら、特許文献１のような構成では湯張りを行う運転と浴槽の加湿暖房を行う運転を連動させるために給湯器と加湿暖房機の間で制御信号をやり取りするための信号伝達手段が必要である。信号伝達手段に有線を用いた場合には機器施工時に給湯器と加湿暖房機の接続を考慮した配線経路の確保が必要である。また、信号伝達手段に無線を用いた場合には給湯器と加湿暖房機の間に壁などの電波遮蔽物が位置しないように機器設置を行う必要がある。このため、信号伝達手段が有線又は無線の双方共に給湯器と加湿暖房機の配置の自由度が低下する。
【０００６】
また、給湯器及び加湿暖房機の両方に、制御信号伝達手段に対応した信号送受信機の搭載と、運転の連動に対応した制御機能の搭載が必要となるため、例えば給湯器を選択した時点で、加湿暖房機は選択した給湯器に対応したものしか選択できないため、給湯器及び加湿暖房機の選択の自由度が低下している。
【０００７】
本発明は上記の課題を鑑みてなされたものであり、給湯器と他の機器の間で通信を必要とせずに使用者が浴室に入る前に浴室の加湿暖房を行うことが可能な加湿暖房システムと、当該加湿暖房システムに使用される換気装置を提供することを目的とする。
【課題を解決するための手段】
【０００８】
第一の発明に係る換気装置は、浴槽が設置された浴室に繋がる吸込口と、前記浴室とは異なる空間に繋がる排気口と、前記吸込口と前記排気口を繋ぐ風路が形成されたケーシングと、前記吸込口から前記排気口へ向かう気流を生じさせる前記風路内に設けられた送風機と、予め定められた第１の時間の間の前記浴室の湿度上昇量が、予め定められた閾湿度上昇量以上である場合に前記送風機を停止させる送風機制御部と、を備えている。
【０００９】
第二の発明に係る換気装置は、浴槽が設置された浴室に繋がる吸込口と、前記浴室とは異なる空間に繋がる排気口と、前記吸込口と前記排気口を繋ぐ風路が形成されたケーシングと、前記吸込口から前記排気口へ向かう気流を生じさせる送風機と、前記浴室の温度が予め定められた閾温度以下であり、予め定められた第１の時間の間の前記浴室の湿度上昇量が予め定められた閾湿度上昇量以上である場合に前記送風機を停止させる送風機制御部と、を備えている。
【００１０】
第三の発明に係る加湿暖房システムは、浴室に設置され、上面に開口が形成された浴槽と、前記浴槽に沸き上げた湯を供給する給湯器と、前記浴室に繋がる吸込口と、前記浴室とは異なる空間に繋がる排気口と、前記吸込口と前記排気口を繋ぐ風路が形成されたケーシングと、前記吸込口から前記排気口へ向かう気流を生じさせる前記風路内に設けられた送風機と、予め定められた第１の時間の間の前記浴室の湿度上昇量が、予め定められた閾湿度上昇量以上である場合に前記送風機を停止させる送風機制御部と、を備える換気装置と、を有している。
【００１１】
第四の発明に係る加湿暖房システムは、浴室に設置され、上面に開口が形成された浴槽と、前記浴槽に沸き上げた湯を供給する給湯器と、浴槽が設置された浴室に繋がる吸込口と、前記浴室とは異なる空間に繋がる排気口と、前記吸込口と前記排気口を繋ぐ風路が形成されたケーシングと、前記吸込口から前記排気口へ向かう気流を生じさせる送風機と、前記浴室の温度が予め定められた閾温度以下であり、予め定められた第１の時間の間の前記浴室の湿度上昇量が予め定められた閾湿度上昇量以上である場合に前記送風機を停止させる送風機制御部と、を備える換気装置と、を有している。
【発明の効果】
【００１２】
第一の発明に係る換気装置と、第三の発明に係る加湿暖房システムの換気装置は、予め定められた第１の時間の間の浴室の湿度上昇量が、予め定められた閾湿度上昇量以上である場合に送風機を停止させる送風機制御部を備えているため、浴槽に湯が供給された際に換気装置による換気が停止し、給湯器と他の機器の間で通信を必要とせずに浴槽に供給された湯によって浴室の加湿暖房を行うことが可能である。
【００１３】
また、第二の発明に係る換気装置と、第四の発明に係る加湿暖房システムの換気装置は、浴室の温度が予め定められた閾温度以下であり、予め定められた第１の時間の間の浴室の湿度上昇量が予め定められた閾湿度上昇量以上である場合に送風機を停止させる送風機制御部を備えているため、浴室内の温度が使用者が冷感を感じる温度であり浴槽に湯が供給された際に換気装置による換気が停止し、給湯器と他の機器の間で通信を必要とせずに浴槽に供給された湯によって浴室の加湿暖房を行うことが可能である。
【図面の簡単な説明】
【００１４】
【図１】実施の形態１に係る加湿暖房システムの構成を示す概略図である。
【図２】実施の形態１に係る換気装置のブロック線図である。
【図３】実施の形態１に係る加湿暖房システムの入力端末の概略図を示す。
【図４】実施の形態１に係る換気装置の運転制御のフローチャート図である。
【図５】実施の形態１における浴槽への給湯を行う場合の換気装置、浴室内温度Ｋ並びに浴室内湿度Ｈのタイムチャートである。
【図６】実施の形態１における浴室に洗濯物を室内干しした場合の換気装置、浴室内温度Ｋ並びに浴室内湿度Ｈのタイムチャートである。
【発明を実施するための形態】
【００１５】
実施の形態１．
図１は、実施の形態１に係る加湿暖房システムの構成を示す概略図である。本発明の加湿暖房システム１は、給湯器２と、換気装置３と、浴槽４から構成されている。加湿暖房システム１は、浴槽４が設置された部屋である浴室１００と、浴室１００とは別の部屋である脱衣所２００と、を有する建築物３００に設置される。また、換気装置３は建築物３００内に設置され、給湯器２は室外空間４００に設置されている。さらに、脱衣所２００には使用者が換気装置３の操作を行うための入力端末５が設置されている。
【００１６】
給湯器２は、水道、地下水源等の水源から水を取得し、加熱手段（図示省略）を用いて水源から取得した水を高温の湯に沸き上げる。給湯器２の加熱手段としては、例えばガスバーナー、電熱ヒーター又はヒートポンプの熱交換器等が挙げられる。給湯器２で沸き上げられた湯は、配管２１を介して浴槽４に供給される。
【００１７】
また、浴槽４は、給湯器２から湯が供給され、内部に給湯器２から供給された湯を溜めることができる。また、浴槽４の上面には開口４ａが形成されており、浴槽４の内部に溜めた湯に利用者が浸かることが可能な構造になっている。
【００１８】
換気装置３は、ケーシング３１を有しており、ケーシング３１の内部に送風機３２、温度センサ３３、湿度センサ３４並びに制御部３５を有している。また、実施の形態１において換気装置３は浴室１００の天井１０１よりも高所に設置されている。
【００１９】
ケーシング３１には吸込口３１ａと排気口３１ｂが形成されており、またケーシング３１の内部に吸込口３１ａと排気口３１ｂを連通させる風路３１ｃが形成されている。吸込口３１ａは浴室１００と繋がっている。排気口３１ｂは壁３０１を貫通している排気ダクト３６と接続されており、排気ダクト３６を介して室外空間４００と繋がっている。
【００２０】
送風機３２は、風路３１ｃ内に設けられたファン３２ａと、ファン３２ａを回転させるファンモータ３２ｂより構成されている。ファンモータ３２ｂに電力が供給されるとファン３２ａは回転し、風路３１ｃ内に吸込口３１ａから排気口３１ｂへ向かう空気の流れを発生させる。このため、送風機３２が駆動すると、浴室１００内の浴室内空気ＲＡが吸込口３１ａから風路３１ｃ内に吸込まれ、風路３１ｃを経由して排気口３１ｂから排気ダクト３６に流出し、排気ダクト３６より排気空気ＥＡとして室外空間４００へ排気される。
【００２１】
温度センサ３３は温度を測定することが可能な素子であり、湿度センサ３４は湿度を測定することが可能な素子である。温度センサ３３と湿度センサ３４は、それぞれ風路３１ｃ内に設けられている。このため、送風機３２が駆動した際に吸込口３１ａより吸込まれた浴室１００内の浴室内空気ＲＡが温度センサ３３及び湿度センサ３４を通過するため、温度センサ３３は浴室内空気ＲＡの温度である浴室内温度Ｋを測定することができ、湿度センサ３４は浴室内空気ＲＡの湿度である浴室内湿度Ｈを測定することができる。また、温度センサ３３及び湿度センサ３４は、送風機３２よりも吸込口３１ａ側に配置されている。このため、温度センサ３３並びに湿度センサ３４はファンモータ３２ｂの発熱など送風機３２起因の外乱を受けることなく正確に浴室内温度Ｋ並びに浴室内湿度Ｈを測定することができる。
【００２２】
さらに吸込口３１ａは浴室１００のうち浴槽４が設置された位置よりも高い位置と繋がっており、温度センサ３３は浴槽４よりも高所に設けられている。特に実施の形態１の場合では、吸込口３１ａは浴槽４の直上の天井１０１と繋がっており、温度センサ３３も浴槽４の直上に配置されている。給湯器２で沸き上げられ浴槽４に供給された湯によって温められた空気は浴室１００の上方へ上がり、吸込口３１ａは浴槽４が設置された位置よりも高い位置と繋がっているため、送風機３２が駆動していない場合でも浴室内温度Ｋを測定することができる。
【００２３】
図２は、実施の形態１に係る換気装置のブロック線図である。制御部３５は、操作情報取得部３５ａ、浴室内湿度取得部３５ｂ、浴室内温度取得部３５ｃ、記憶部３５ｄ、操作情報判定部３５ｅ、冷感判定部３５ｆ、湿度上昇量判定部３５ｇ、温度上昇量判定部３５ｈ、送風機制御部３５ｉ、タイマー３５ｊを備えており、マイクロコントローラなどが該当する。なお、制御部３５がマイクロコントローラの場合、操作情報判定部３５ｅ、冷感判定部３５ｆ、湿度上昇量判定部３５ｇ、温度上昇量判定部３５ｈ、送風機制御部３５ｉは１つのＣＰＵ（Ｃｅｎｔｒａｌ  Ｐｒｏｃｅｓｓｉｎｇ  Ｕｎｉｔ）として実装されている。
【００２４】
操作情報取得部３５ａは、入力端末５と通信可能に接続されており、使用者が入力端末５で入力した操作の情報を取得する。浴室内湿度取得部３５ｂは、湿度センサ３４と通信可能に接続されており、湿度センサ３４が測定した浴室内湿度Ｈを取得する。浴室内温度取得部３５ｃは、温度センサ３３と通信可能に接続されており、温度センサ３３が測定した浴室内温度Ｋを取得する。
【００２５】
記憶部３５ｄは、少なくとも閾温度ＫＴと、閾湿度上昇量ΔＨＴと、閾温度上昇量ΔＫＴと、過去浴室内湿度Ｈｂと、過去浴室内温度Ｋｂと、を記憶するメモリである。
【００２６】
閾温度ＫＴは、使用者が浴室１００で冷感を受ける状況であるか否かを後述する冷感判定部３５ｆが判定するために用いられる数値である。閾湿度上昇量ΔＨＴは、換気装置３を一時的に停止するか否かを後述する湿度上昇量判定部が判定するために用いられる数値である。閾温度上昇量ΔＫＴは、換気装置３の一時的な停止を延長するか否かを後述する湿度上昇量判定部が判定するために用いられる数値である。過去浴室内湿度Ｈｂは、過去に浴室内湿度取得部３５ｂが取得した浴室内湿度Ｈの数値である。過去浴室内温度Ｋｂは、過去に浴室内温度取得部３５ｃが取得した浴室内温度Ｋの数値である。なお、閾温度ＫＴと、閾温度上昇量ΔＫＴと、閾湿度上昇量ΔＨＴは、それぞれ予め定められた数値であり、機器が設置される地域の環境等を加味した数値に制御部３５が自動的に各数値を定めても構わないし、使用者が入力端末５を使って手動で各数値を定めても構わない。また、過去浴室内温度Ｋｂと、過去浴室内湿度Ｈｂは、任意のタイミングで更新される数値である。
【００２７】
操作情報判定部３５ｅは、操作情報取得部３５ａで取得した操作の情報の種類について判定を行う。操作の情報の種類としては、例えば、換気装置３を起動させる情報などが挙げられる。
【００２８】
冷感判定部３５ｆは、浴室内温度取得部３５ｃで取得した浴室内温度Ｋと、記憶部３５ｄに記憶されている閾温度ＫＴを基に、使用者が浴室１００で冷感を受ける状況であるか否かの判定を行う。具体的には、冷感判定部３５ｆは、浴室内温度Ｋと閾温度ＫＴを比較して、Ｋ≦ＫＴの条件を満たすか否かを判定する。冷感判定部３５ｆは、条件を満たさない場合（Ｋ＞ＫＴ）には使用者が浴室で冷感を受けない状況であると判定し、条件を満たす場合（Ｋ≦ＫＴ）には使用者が浴室で冷感を受ける状況であると判定する。
【００２９】
湿度上昇量判定部３５ｇは、浴室内湿度取得部３５ｂで取得した浴室内湿度Ｈと、記憶部３５ｄに記憶されている閾湿度上昇量ΔＨＴ並びに過去浴室内湿度Ｈｂを基に、浴室内湿度Ｈが大幅に上昇したか否かの判定を行う。具体的には、湿度上昇量判定部３５ｇは、浴室内湿度Ｈと過去浴室内湿度Ｈｂの差である湿度上昇量ΔＨをΔＨ＝Ｈ−Ｈｂの計算式より演算し、演算した湿度上昇量ΔＨと閾湿度上昇量ΔＨＴを比較して、ΔＨ≧ΔＨＴの条件を満たすか否かを判定する。湿度上昇量判定部３５ｇは、条件を満たす場合（ΔＨ≧ΔＨＴ）には浴室内湿度Ｈが大幅に上昇したと判定し、条件を満たさない場合（ΔＨ＜ΔＨＴ）には浴室内湿度Ｈが大幅に上昇していないと判定する。
【００３０】
温度上昇量判定部３５ｈは、浴室内温度取得部３５ｃで取得した浴室内温度Ｋと、記憶部３５ｄに記憶されている閾温度上昇量ΔＫＴ並びに過去浴室内温度Ｋｂを基に、浴室内温度Ｋが大幅に上昇したか否かの判定を行う。具体的には、温度上昇量判定部３５ｈは、浴室内温度Ｋと過去浴室内温度Ｋｂの差である温度上昇量ΔＫをΔＫ＝Ｋ−Ｋｂの計算式より演算し、演算した温度上昇量ΔＫと閾温度上昇量ΔＫＴを比較して、ΔＫ≧ΔＫＴの条件を満たすか否かを判定する。温度上昇量判定部３５ｈは、条件を満たす場合（ΔＫ≧ΔＫＴ）には浴室内温度Ｋが大幅に上昇したと判定し、条件を満たさない場合（ΔＫ＜ΔＫＴ）には浴室内温度Ｋが大幅に上昇していないと判定する。
【００３１】
送風機制御部３５ｉは、送風機３２と通信可能に接続されており、操作情報判定部３５ｅの判定結果と、湿度上昇量判定部３５ｇの判定結果と、温度上昇量判定部３５ｈの判定結果と、後述するタイマー３５ｊの経過時間に基づいて送風機３２の制御を行う。
【００３２】
タイマー３５ｊは、経過時間Ｔの測定を行い、経過時間Ｔが予め定められた時間であるサンプリング時間ＴＢ（本発明の第１の時間に該当）、予備換気停止時間Ｔ１（本発明の第２の時間に該当）並びに換気停止時間Ｔ２（本発明の第３の時間に該当）を経過したかの判定を行う。また、タイマー３５ｊは、操作情報判定部３５ｅの判定結果と、冷感判定部３５ｆの判定結果と、湿度上昇量判定部３５ｇの判定結果と、温度上昇量判定部３５ｈの判定結果に基づき、経過時間Ｔのリセットを行う。なお、浴室内湿度取得部３５ｂ、浴室内温度取得部３５ｃ並びに送風機制御部３５ｉは、タイマー３５ｊで測定している経過時間Ｔを基に、浴室内湿度Ｈ又は浴室内温度Ｋの取得や送風機３２の制御を行う。
【００３３】
また、換気装置３は、２４時間換気運転を行う。２４時間換気運転は、換気装置３が常に一定の風量で換気を行うように、送風機制御部３５ｉが送風機３２の制御を行う運転である。なお、２４時間換気運転における換気装置３の風量は、後述するように使用者が入力端末５から設定しても良いし、製造者が予め決めておいても良い。
【００３４】
図３に、実施の形態１に係る加湿暖房システムの入力端末の概略図を示す。入力端末５は、２４時間換気運転ボタン５ａと、能力切替ボタン５ｂと、浴室換気一時停止時間設定ボタン５ｃと、停止ボタン５ｄと、２４時間換気運転表示部５ｅと、能力表示部５ｆ、浴室換気一時停止時間表示部５ｇとを有する端末である。
【００３５】
使用者は、２４時間換気運転ボタン５ａと、能力切替ボタン５ｂと、浴室換気一時停止時間設定ボタン５ｃと、停止ボタン５ｄを操作することによって、換気装置３の操作情報を入力することができる。具体的には、使用者は、２４時間換気運転ボタン５ａを操作することによって換気装置３の２４時間換気運転を実施する操作の情報を入力することができる。また、使用者は、能力切替ボタン５ｂを操作することによって、換気装置３の風量などの換気能力の設定に関する操作情報を入力することができる。実施の形態１では、少なくとも換気装置３の風量を強風量と強風量よりも風量が少ない弱風量の２つのパターンに設定することができる。さらに、使用者は、浴室換気一時停止時間設定ボタン５ｃを操作することによって、一時停止時間ＴＡを設定しその一時停止時間ＴＡだけ換気装置３の運転を停止させる操作情報を入力することができる。一時停止時間ＴＡは、浴室換気一時時間設定ボタン５ｃの操作方法によって異なった時間を設定することができる。例えば浴室換気一時停止時間設定ボタン５ｃを、一時停止時間ＴＡが設定されていない状態で操作されると一時停止時間ＴＡは０．５時間に設定され、一時停止時間ＴＡが０．５時間に設定されている状態で操作されると一時停止時間は１．０時間に設定され、一時停止時間ＴＡが１．０時間に設定されている状態で操作されると一時停止時間は１．５時間に設定され、一時停止時間ＴＡが１．５時間に設定されている状態で操作されると一時停止時間の設定が解除される。また、使用者は、停止ボタン５ｄを操作することによって換気装置３の２４時間換気運転を停止させる操作情報を入力することができる。
【００３６】
また、入力端末５は、２４時間換気運転表示部５ｅと、能力表示部５ｆ、浴室換気一時停止時間表示部５ｇによって換気装置３の運転状況の表示を行う。具体的に実施の形態１では、２４時間換気運転表示部５ｅは１つの光源を有しており、換気装置３が２４時間換気運転を行っている場合は光源が点灯し、換気装置３が２４時間換気運転を行っていない場合は消灯することで２４時間換気運転の運転状況を表示する。また、能力表示部５ｆは換気装置３の風量が強風量に設定されている場合のみ点灯する光源と、弱風量に設定されている場合のみ点灯する光源を有しており、２つの光源の点灯状態によって換気装置３の風量を表示している。さらに、一時停止時間表示部５ｇは、換気装置３の一時停止時間が０．５時間に設定されている場合のみに点灯する光源と、一時停止時間が１．０時間に設定されている場合のみに点灯する光源と、一時停止時間が１．５時間に設定されている場合に点灯する光源とをそれぞれ有しており、３つの光源の点灯状態によって換気装置３に設定された一時停止時間を表示している。
【００３７】
図４は、実施の形態１に係る換気装置の運転制御のフローチャート図である。次に、換気装置３の制御について説明をする。なお、図４のスタートの段階では、換気装置３のファンモータ３２ｂは駆動しておらず、換気装置３は浴室１００の換気を行っていない状態である。
【００３８】
まず、ステップＳ１では、操作情報取得部３５ａが、入力端末５に入力された操作の情報を取得する。ステップＳ１の処理が終了後、ステップＳ２に進み、ステップＳ２では、操作情報判定部３５ｅがステップＳ１で操作情報取得部３５ａが取得した操作の情報が換気装置３を起動させる操作の情報かどうかを判定する。換気装置３を起動させる操作の情報としては、例えば利用者が２４時間換気運転ボタン５ａを操作することによって入力される換気装置３の２４時間換気運転を実施させる操作の情報が挙げられる。ステップＳ２において、ステップＳ１で操作情報取得部３５ａが取得した操作の情報が換気装置３を起動させる操作の情報ではないと操作情報判定部３５ｅが判定した場合（ステップＳ２、ＮＯ）は、再びステップＳ１に戻る。ステップＳ２において、ステップＳ１で操作情報取得部３５ａが取得した操作の情報が換気装置３を起動させる操作の情報であると操作情報判定部３５ｅが判定した場合（ステップＳ２、ＹＥＳ）は、ステップＳ３へ進む。ステップＳ３では、換気装置３による換気を開始させるために送風機制御部３５ｉが送風機３２を駆動させる。
【００３９】
ステップＳ３の処理が終了後、ステップＳ４へ進み、ステップＳ４では浴室内温度取得部３５ｃが温度センサ３３で測定した浴室内温度Ｋを取得する。ステップＳ４の処理が終了後、ステップＳ５へ進み、ステップＳ５では、冷感判定部３５ｆがステップＳ４で浴室内温度取得部３５ｃが取得した浴室内温度Ｋと記憶部３５ｄに記憶されている閾温度ＫＴとを比較してＫ≦ＫＴの条件を満たすか否かの判定を行う。
【００４０】
ステップＳ５において、Ｋ＞ＫＴであり条件を満たさないと冷感判定部３５ｆが判定した場合（ステップＳ５、ＮＯ）は、ステップＳ６に進む。ステップＳ６では、タイマー３５ｊが経過時間Ｔをリセットし新たに経過時間Ｔの測定を開始する。ステップＳ６の処理が終了後、ステップＳ７へ進み、ステップＳ７では、タイマー３５ｊは経過時間Ｔがサンプリング時間ＴＢを経過したか否かの判定を行うために、経過時間Ｔとサンプリング時間ＴＢを比較してＴ≧ＴＢの条件を満たすか否かを判定する。ステップＳ７で、比較の結果Ｔ＜ＴＢであり経過時間Ｔはサンプリング時間ＴＢを経過していないとタイマー３５ｊが判定した場合（ステップＳ７、ＮＯ）は再びステップＳ７の判定に戻る。ステップＳ７で、比較の結果Ｔ≧ＴＢであり経過時間Ｔはサンプリング時間を経過したとタイマー３５ｊが判定した場合（ステップＳ７、ＹＥＳ）は再びステップＳ４に戻る。
【００４１】
ステップＳ５において、Ｋ≦ＫＴであり条件を満たすと冷感判定部３５ｆが判定した場合（ステップＳ５，ＹＥＳ）は、ステップＳ８へ進む。ステップＳ８では、ステップＳ６と同様にタイマー３５ｊが経過時間Ｔをリセットし新たに経過時間Ｔの測定を開始する。ステップＳ８の処理が終了後、ステップＳ９へ進み、ステップＳ９では、浴室内湿度取得部３５ｂが湿度センサ３４で測定した浴室内湿度Ｈを取得する。ステップＳ９の処理が終了後、ステップＳ１０へ進み、ステップ１０ではステップＳ９で取得した浴室内湿度Ｈを過去浴室内湿度Ｈｂとして新たに記憶部３５ｄに記憶させる。
【００４２】
ステップＳ１０の処理が終了後、ステップＳ１１へ進み、ステップＳ７と同様にタイマー３５ｊは経過時間Ｔとサンプリング時間ＴＢを比較してＴ≧ＴＢの条件を満たすか否かを判定する。ステップＳ１１で、比較の結果がＴ＜ＴＢであり条件を満たさないとタイマー３５ｊが判定した場合（ステップＳ１１、ＮＯ）は再びステップＳ１１の判定に戻り、比較の結果がＴ≧ＴＢであり条件を満たすとタイマー３５ｊが判定した場合（ステップＳ１１、ＹＥＳ）はステップＳ１２へ進む。ステップＳ１２では、浴室内湿度取得部３５ｂが湿度センサ３４で測定した浴室内湿度Ｈを取得する。ステップＳ１２の処理が終了後、ステップＳ１３へ進み、ステップＳ１３では、湿度上昇量判定部３５ｇがステップＳ１２で取得した浴室内湿度ＨとステップＳ１０又は後述するステップＳ１５で記憶部３５ｄが記憶した過去浴室内湿度Ｈｂの差である湿度上昇量ΔＨをΔＨ＝Ｈ−Ｈｂの計算式より演算する。つまり、ステップＳ１３では、最も新しい浴室内湿度取得部３５ｂが取得した浴室内湿度Ｈよりサンプリング時間ＴＢ前に浴室内湿度取得部３５ｂが取得した浴室内湿度Ｈを減算することによってサンプリング時間ＴＢの間の湿度上昇量ΔＨを演算している。ステップＳ１３の処理が終了後、ステップＳ１４へ進み、湿度上昇量判定部３５ｇはステップＳ１３で演算した湿度上昇量ΔＨと記憶部３５ｄに記憶されている閾湿度上昇量ΔＨＴを比較してΔＨ≧ΔＨＴの条件を満たすか否かを判定する。
【００４３】
ステップＳ１４においてΔＨ＜ΔＨＴであり条件を満たさないと湿度上昇量判定部３５ｇが判定した場合（ステップＳ１４、ＮＯ）には、ステップＳ１５へ進む。ステップＳ１５では、浴室内温度取得部３５ｃが温度センサ３３で測定した浴室内温度Ｋを取得する。ステップＳ１５の処理が終了後、ステップＳ１６へ進み、ステップＳ１６では冷感判定部３５ｆがステップＳ４で浴室内温度取得部３５ｃが取得した浴室内温度Ｋと記憶部３５ｄに記憶されている閾温度ＫＴとを比較してＫ≦ＫＴの条件を満たすか否かの判定を行う。ステップＳ１６において、Ｋ＞ＫＴであり条件を満たさないと冷感判定部３５ｆが判定した場合（ステップＳ１６、ＮＯ）は、ステップＳ６に戻る。Ｋ≦ＫＴであり条件を満たすと冷感判定部３５ｆが判定した場合（ステップＳ５，ＹＥＳ）は、ステップＳ１７へ進む。ステップＳ１７では、ステップＳ１２で取得した浴室内湿度Ｈを過去浴室内湿度Ｈｂとして新たに記憶部３５ｄに記憶させる。ステップＳ１７の処理が終了後、ステップＳ１８へ進み、ステップＳ６と同様にタイマー３５ｊが経過時間Ｔをリセットし新たに経過時間Ｔの測定を開始し、ステップＳ１１の判定へと戻る。
【００４４】
ステップＳ１４においてΔＨ≧ΔＨＴであり条件を満たすと湿度上昇量判定部３５ｇが判定した場合（ステップＳ１４、ＹＥＳ）には、ステップＳ１９へ進む。ステップＳ１９では、送風機制御部３５ｉが送風機３２を停止させ、換気装置３による換気を停止させる。ステップＳ１９の処理が終了後、ステップＳ２０へ進み、ステップＳ２０ではステップＳ６と同様にタイマー３５ｊが経過時間Ｔをリセットし新たに経過時間Ｔの測定を開始する。ステップＳ２０の処理が終了後、ステップＳ２１へ進み、ステップＳ２１では浴室内温度取得部３５ｃが温度センサ３３で測定した浴室内温度Ｋを取得する。ステップＳ２１の処理が終了後、ステップＳ２２へ進み、ステップＳ２２では記憶部３５ｄがステップＳ２１で取得した浴室内温度Ｋを過去浴室内温度Ｋｂとして新たに記憶する。
【００４５】
ステップＳ２２の処理が終了後、ステップＳ２３へ進み、ステップＳ２３ではタイマー３５ｊは経過時間Ｔが予備換気停止時間Ｔ１を経過したか否かの判定を行うために、経過時間Ｔと予備換気停止時間Ｔ１を比較してＴ≧Ｔ１の条件を満たすか否かを判定する。ステップＳ２３で、比較の結果がＴ＜Ｔ１であり条件を満たさないとタイマー３５ｊが判定した場合（ステップＳ２３、ＮＯ）は再びステップＳ２３の判定に戻り、比較の結果がＴ≧Ｔ１であり条件を満たすとタイマー３５ｊが判定した場合（ステップＳ２３、ＹＥＳ）はステップＳ２４へ進む。ステップＳ２４では浴室内温度取得部３５ｃが温度センサ３３で測定した浴室内温度Ｋを取得する。ステップＳ２４の処理が終了後、ステップＳ２５へ進み、ステップＳ２５では温度上昇量判定部３５ｈがステップＳ２４で取得した浴室内温度ＫとステップＳ２２で記憶部３５ｄが記憶した過去浴室内温度Ｋｂの差である温度上昇量ΔＫをΔＫ＝Ｋ−Ｋｂの計算式より演算する。つまり、ステップＳ２５では、送風機３２を停止してから予備換気停止時間Ｔ１経過後に浴室内温度取得部３５ｃが取得した浴室内温度Ｋより送風機３２を停止した際に浴室内温度取得部３５ｂが取得した浴室内湿度Ｈを減算することによって温度上昇量ΔＫを演算している。ステップＳ２５の処理が終了後、ステップＳ２６へ進み、ステップＳ２６では温度上昇量判定部３５ｈがステップＳ２５で演算した温度上昇量ΔＫと記憶部３５ｄに記憶されている閾温度上昇量ΔＫＴを比較してΔＫ≧ΔＫＴを満たすか否かを判定する。
【００４６】
ステップＳ２６において比較の結果がΔＫ＜ΔＫＴであり条件を満たさないと温度上昇量判定部３５ｈが判定した場合（ステップＳ２６、ＮＯ）はステップＳ３に戻り、送風機制御部３５ｉが送風機３２を駆動させ、換気装置３による換気が再開する。
【００４７】
ステップＳ２６において比較の結果がΔＫ≧ΔＫＴであり条件を満たすと温度上昇量判定部３５ｈが判定した場合（ステップＳ２６、ＹＥＳ）は、ステップＳ２７へ進む。ステップＳ２７では、ステップＳ６と同様にタイマー３５ｊが経過時間Ｔをリセットし新たに経過時間Ｔの測定を開始する。ステップＳ２７の処理が終了後、ステップＳ２８へ進み、ステップＳ２８では、タイマー３５ｊは経過時間Ｔが換気停止時間Ｔ２を経過したか否かの判定を行うために、経過時間Ｔと換気停止時間Ｔ２を比較してＴ≧Ｔ２の条件を満たすか否かを判定する。ステップＳ２８で、比較の結果がＴ＜Ｔ２であり条件を満たさないとタイマー３５ｊが判定した場合（ステップＳ２８、ＮＯ）は再びステップＳ２８の判定に戻り、比較の結果がＴ≧Ｔ２であり条件を満たすとタイマー３５ｊが判定した場合（ステップＳ２６、ＹＥＳ）はステップＳ３に戻り、送風機制御部３５ｉが送風機３２を駆動させ、換気装置３による換気が再開する。
【００４８】
図５は、実施の形態１における浴槽への給湯を行う場合の換気装置、浴室内温度Ｋ並びに浴室内湿度Ｈのタイムチャートである。図５の横軸は経過時間を示しており、説明のためサンプリング時間ＴＢ毎に時間ｔ０、時間ｔ１、時間ｔ２・・・時間ｔｎ−１、時間ｔｎとそれぞれ称する。また、図５の縦軸は、換気装置の場合は運転又は停止の状態を、浴室内温度Ｋの場合は浴室内温度Ｋの値を、浴室内湿度Ｈの場合は浴室内湿度Ｈの値をそれぞれ示している。さらに、時間ｔ０、時間ｔ１、時間ｔ２・・・時間ｔｎ−１、時間ｔｎにおける浴室内温度Ｋをそれぞれ浴室内温度Ｋ０、Ｋ１、Ｋ２・・・Ｋｔｎ−１、Ｋｔｎと称し、浴室内湿度Ｈをそれぞれ浴室内湿度Ｈ０、Ｈ１、Ｈ２・・・Ｈｔｎ−１、Ｈｔｎと称す。次に実施の形態１の加湿暖房システムの給湯時における効果について図４の制御フローチャートと、図５のタイムチャートを用いて説明を行う。まず、図５のタイムチャートの時間ｔ０において、使用者が入力端末５の２４時間換気運転ボタン５ａの操作を行い、２４時間換気運転を実施する操作の情報を入力したとする。入力された２４時間換気運転を実施する操作の情報は、操作情報取得部３５ａが取得し（ステップＳ１）、操作情報判定部３５ｅが換気装置３を起動させる操作の情報であると判定し（ステップＳ２、ＹＥＳ）、送風機制御部３５ｉが送風機３２を駆動させて換気装置３の運転を開始する（ステップＳ３）。
【００４９】
換気装置３の運転を開始すると、吸込口３１ａより吸込まれた浴室１００内の浴室内空気ＲＡが温度センサ３３及び湿度センサ３４を通過するため、温度センサ３３は浴室内温度Ｋを測定することができ、湿度センサ３４は浴室内湿度Ｈを測定することができる。温度センサ３３で測定した時間ｔ０における浴室内温度Ｋ０を浴室内温度取得部３５ｃが取得し（ステップＳ４）、時間ｔ０における温度センサ３３で測定した浴室内温度Ｋ０は閾温度ＫＴ以下であるため、冷感判定部３５ｆがＫ≦ＫＴの条件を満たすと判定する（ステップＳ５、ＹＥＳ）。
【００５０】
次にタイマー３５ｊが経過時間Ｔをリセットして新たに経過時間Ｔの測定を開始し（ステップＳ８）、湿度センサ３４が測定した時間ｔ０における浴室内湿度Ｈ０を浴室内湿度取得部３５ｂが取得し（ステップＳ９）、浴室内湿度取得部３５ｂで取得した時間ｔ０における浴室内湿度Ｈ０を記憶部３５ｄに過去浴室内湿度Ｈｂとして新たに記憶する（ステップＳ１０）。
【００５１】
次にサンプリング時間ＴＢが経過し時間ｔ１になるとＴ≧ＴＢの条件を満たす（ステップＳ１１、ＹＥＳ）ため、湿度センサ３４が測定した時間ｔ１における浴室内湿度Ｈ１を浴室内湿度取得部３５ｂが取得し（ステップＳ１２）、湿度上昇量判定部３５ｇが時間ｔ１における浴室内湿度Ｈ１と、記憶部３５ｄに過去浴室内湿度Ｈとして記憶されている時間ｔ０における浴室内湿度Ｈ０より、時間ｔ０から時間ｔ１までの湿度上昇量である湿度上昇量ΔＨ０１をΔＨ０１＝Ｈ１−Ｈ０の式より演算する（ステップＳ１３）。湿度上昇量ΔＨ０１は閾湿度上昇量ΔＨＴ未満であるため、湿度上昇量判定部３５ｇはΔＨ≧ΔＨＴの条件を満たしていないと判定し（ステップＳ１４、ＮＯ）、温度センサ３３で測定した時間ｔ１における浴室内温度Ｋ１を浴室内温度取得部３５ｃが取得する（ステップＳ４）。時間ｔ１における温度センサ３３で測定した浴室内温度Ｋ１は閾温度ＫＴ以下であるため、冷感判定部３５ｆがＫ≦ＫＴの条件を満たすと判定する（ステップＳ５、ＹＥＳ）し、時間ｔ１における浴室内湿度Ｈ１を記憶部３５ｄに過去浴室内湿度Ｈｂとして新たに記憶する（ステップＳ１７）。その後、再びタイマー３５ｊが経過時間Ｔをリセットして新たに経過時間Ｔの測定を開始し（ステップＳ１８）、図４のフローチャートのステップＳ１１からステップＳ１８までの一連の動作を時間ｔ２から時間ｔ５でも実施する。
【００５２】
時間ｔ５において、給湯器２が浴槽４へ湯の供給を開始する。なお、給湯器２は時間ｔ９になるまで浴槽４へ湯の供給をし続ける。浴槽４は上面に開口４ａが形成されているため、浴槽４に供給された湯より湯気が発生し、発生した湯気は換気装置３の吸込口３１ａより吸込まれる。換気装置３に吸込まれた湯気は湿度センサ３４を通過するため、湿度センサ３４が測定した時間ｔ６における浴室内湿度Ｈ６は、記憶部３５ｄに過去浴室内湿度Ｈｂとして記憶されている時間ｔ５における浴室内湿度Ｈ５と比べて大幅に上昇している。湿度上昇量判定部３５ｇが演算する時間ｔ５から時間ｔ６までの湿度上昇量である湿度上昇量ΔＨ５６は、閾湿度上昇量ΔＨＴ以上であるため、湿度上昇量判定部３５ｇはΔＨ≧ΔＨＴの条件を満たしていると判定し（ステップＳ１４、ＹＥＳ）、送風機制御部３５ｉは送風機３２を停止させ、換気装置３を停止させる（ステップＳ１９）。
【００５３】
換気装置３の停止後、タイマー３５ｊが経過時間Ｔをリセットして新たに経過時間Ｔの測定を開始し（ステップＳ２０）、温度センサ３３が測定した時間ｔ６における浴室内温度Ｋ６を浴室内温度取得部３５ｃが取得し（ステップＳ２１）、浴室内温度取得部３５ｃで取得した時間ｔ６における浴室内温度Ｋ６を記憶部３５ｄに過去浴室内温度Ｋｂとして新たに記憶する（ステップＳ２２）。
【００５４】
予備換気停止時間Ｔ１は時間ｔ６から時間ｔ９までの時間に設定されており、予備換気停止時間Ｔ１が経過し時間ｔ９になるとＴ≧Ｔ１の条件を満たす（ステップＳ２３、ＹＥＳ）ため、温度センサ３３が測定した時間ｔ９における浴室内温度Ｋ９を浴室内温度取得部３５ｃが取得する（ステップＳ２４）。給湯器２は時間ｔ９になるまで浴槽４へ湯の供給を行い、換気装置３は停止しているため、浴室１００内は給湯器２から供給される湯によって湿度と温度が上昇する。また、換気装置３は停止しているが、吸込口３１ａは浴室１００のうち浴槽４が設置された位置よりも高い位置と繋がっており、湯によって温められた空気が浴室１００の上方へ上がり吸込口３１ａに侵入するため、温度センサ３３は浴室内温度Ｋを取得することができる。従って、温度センサ３３が測定した時間ｔ９における浴室内温度Ｋ９は、記憶部３５ｄに過去浴室内温度Ｋｂとして記憶されている時間ｔ６における浴室内温度Ｋ６と比べて大幅に上昇している。温度上昇量判定部３５ｈが演算（ステップＳ２５）した時間ｔ６から時間ｔ９までの温度上昇量である温度上昇量ΔＨ６９は、閾温度上昇量ΔＫＴ以上であるため、温度上昇量判定部３５ｈはΔＫ≧ΔＫＴの条件を満たしていると判定し（ステップＳ２６、ＹＥＳ）、タイマー３５ｊが経過時間Ｔをリセットして新たに経過時間Ｔの測定を開始する（ステップＳ２７）。換気停止時間Ｔ２は時間ｔ９から時間ｔｎ−１までの時間に設定されており、換気停止時間Ｔ２が経過し時間ｔｎ−１になるとＴ≧Ｔ２の条件を満たす（ステップＳ２８、ＹＥＳ）ため、送風機制御部３５ｉが送風機３２を駆動させて換気装置３の運転を開始する（ステップＳ３）。
【００５５】
このように浴槽４に給湯を行う場合において、時間ｔ６から時間ｔｎ−１までの間は、換気装置３が停止しているため、給湯器２から浴槽４に供給された湯より浴室内空気ＲＡへ放出される水蒸気と熱量が換気装置３によって排気されず、浴室内空気ＲＡが加湿暖房される。このため、この間の浴室１００は浴槽４に供給された湯によって使用者が冷感を感じない入浴に適した温度及び湿度に調整されている。このように実施の形態１の加湿暖房システム１は給湯器２と換気装置３の間で通信を行わずに使用者が浴室に入る前に浴室の加湿暖房を行うことができる。
【００５６】
図６は、実施の形態１における浴室に洗濯物を室内干しした場合の換気装置、浴室内温度Ｋ並びに浴室内湿度Ｈのタイムチャートである。図６も図５と同様に横軸は経過時間を示しており、縦軸は、換気装置の場合は運転又は停止の状態を、浴室内温度Ｋの場合は浴室内温度Ｋの値を、浴室内湿度Ｈの場合は浴室内湿度Ｈの値をそれぞれ示している。また、説明のためサンプリング時間ＴＢ毎に時間ｔ０、時間ｔ１、時間ｔ２・・・時間ｔｎ−１、時間ｔｎとそれぞれ称し、時間ｔ０、時間ｔ１、時間ｔ２・・・時間ｔｎ−１、時間ｔｎにおける浴室内温度Ｋをそれぞれ浴室内温度Ｋ０、Ｋ１、Ｋ２・・・Ｋｔｎ−１、Ｋｔｎと称し、浴室内湿度Ｈをそれぞれ浴室内湿度Ｈ０、Ｈ１、Ｈ２・・・Ｈｔｎ−１、Ｈｔｎと称す。次に実施の形態１の加湿暖房システムの給湯時以外における効果について図４の制御フローチャートと、図６のタイムチャートを用いて説明を行う。なお、加湿暖房システムの給湯時における効果の説明と重複する部分については説明を割愛する。
【００５７】
まず、時間ｔ０から時間ｔ５までは加湿暖房システムの給湯時における効果の説明と同様に、使用者が時間ｔ０において入力端末５の２４時間換気運転ボタン５ａの操作を行い、図４の制御フローチャートのステップＳ１からステップＳ１８までの一連の処理が行われるため、説明を割愛する。
【００５８】
図６のタイムチャートでは、時間ｔ５において浴室１００内に洗濯物が掛けられ、室内干しが開始される。洗濯物の水分が浴室内空気ＲＡへ放出されるため、浴室内空気ＲＡ中の水蒸気量が増加し、浴室内湿度Ｈは上昇する。このため、湿度センサ３４が測定した時間ｔ６における浴室内湿度Ｈ６は、記憶部３５ｄに過去浴室内湿度Ｈｂとして記憶されている時間ｔ５における浴室内湿度Ｈ５と比べて大幅に上昇している。湿度上昇量判定部３５ｇが演算する時間ｔ５から時間ｔ６までの湿度上昇量である湿度上昇量ΔＨ５６は、閾湿度上昇量ΔＨＴ以上であるため、湿度上昇量判定部３５ｇはΔＨ≧ΔＨＴの条件を満たしていると判定し（ステップＳ１４、ＹＥＳ）、送風機制御部３５ｉは送風機３２を停止させ、換気装置３を停止させる（ステップＳ１９）。
【００５９】
加湿暖房システムの給湯時における効果の説明と同様に、図４の制御フローチャートのステップＳ２０からステップＳ２５までの一連の処理が行われるため、説明を割愛する。浴室１００に洗濯物を室内干しした場合では、給湯器２が浴槽４へ給湯を行った場合とは異なり、浴室内湿度Ｈは大幅に上昇するが浴室内温度Ｋは大幅に上昇せず、温度センサ３３が測定した時間ｔ９における浴室内温度６は、記憶部３５ｄに過去浴室内温度Ｋｂとして記憶されている時間ｔ６における浴室内温度Ｋ６と比べて大幅に上昇していない。従って、温度上昇量判定部３５ｈが演算した時間ｔ６から時間ｔ９までの温度上昇量である温度上昇量ΔＨ６９は、閾温度上昇量ΔＫＴ未満であるため、温度上昇量判定部３５ｈはΔＫ≧ΔＫＴの条件を満たしていないと判定され（ステップＳ２６、ＮＯ）、送風機制御部３５ｉが送風機３２を駆動させて換気装置３の運転を開始する（ステップＳ３）。
【００６０】
このように浴室に洗濯物を室内干しした場合において、時間ｔ６から時間ｔ９まで間は換気装置３が停止しているが、その後すぐに換気装置３の運転を開始するため、洗濯物から放出された水分によって水蒸気量が増加した浴室内空気ＲＡを換気装置３によって室外空間４００へ排気することができ、洗濯物をより早く乾燥させることができる。
【００６１】
図６のタイムチャートは、浴室に洗濯物を室内干しした場合のタイムチャートであるが、他に雨天時など給湯以外の要因で浴室内湿度Ｈが大幅に上がるような状況になっても、図６のタイムチャートと同じく時間ｔ６から時間ｔ９まで間は換気装置３が停止しているがその後すぐに換気装置３の運転を開始する。このため、使用者が意図しない換気装置３の停止を抑制することができる。
【００６２】
以上のように実施の形態１に係る換気装置３及び加湿暖房システム１は、浴室内湿度Ｈのサンプリング時間ＴＢ辺りの上昇量である湿度上昇量ΔＨが予め定められた閾湿度上昇量ΔＨＴ以上である場合は、換気装置３の運転を停止する。このため、換気装置３は湿度上昇量ΔＨに基づいて給湯器２による浴槽４への給湯を検知して運転を停止することができ、浴槽４に供給された湯より放出される水蒸気と熱量によって浴室１００内の加湿暖房ができるので、給湯器２と通信を行わず使用者が浴室１００に入る前に浴室１００の加湿暖房を行うことができる。
【００６３】
また、実施の形態１に係る換気装置３及び加湿暖房システムは、湿度上昇量ΔＨが予め定められた閾湿度上昇量ΔＨＴ以上であり換気装置３の運転を停止させた後、一定時間（予備換気停止時間Ｔ１＋換気停止時間Ｔ２）経過後に換気装置３の運転を再開する。このため、使用者が入浴後に浴室に残った水蒸気を多く含んだ浴室内空気ＲＡを換気装置３によって排気することができ、カビの発生など水蒸気を多く含んだ浴室内空気ＲＡによる浴室内の環境悪化を抑制することができる。
【００６４】
また、実施の形態１に係る換気装置３及び加湿暖房システム１は、湿度上昇量ΔＨが予め定められた閾湿度上昇量ΔＨＴ以上であり換気装置３の運転を停止させた後に、浴室内温度Ｋの予備換気停止時間Ｔ１辺りの上昇量である温度上昇量ΔＫが予め定められた閾温度上昇量ΔＫＴ以上である場合は換気装置３の運転の停止を継続させ、温度上昇量ΔＫが閾温度上昇量ΔＫＴ未満である場合は換気装置３の運転を再開する。このため、洗濯物の室内干し等の浴槽４への給湯以外の要因で換気装置３の運転が停止した場合は、給湯器２による浴槽４への給湯が行われた場合よりも短時間で換気装置３の運転を再開し、使用者が意図していない換気装置３の停止を抑制することができる。
【００６５】
また、実施の形態１に係る換気装置３及び加湿暖房システム１は、浴室内温度Ｋが予め定められた閾温度ＫＴ以下であり、湿度上昇量ΔＨが予め定められた閾湿度上昇量ΔＨＴ以上である場合は、換気装置３の運転を停止する。このため、夏場のように加湿暖房を実施しなくとも使用者が浴室１００で冷感を感じないような状況である場合には給湯器２による浴槽４への給湯が行われても換気装置３の運転を停止せず、不必要な換気装置３の停止を抑制することができる。
【００６６】
なお、実施の形態１に係る換気装置３は、図４のようにステップＳ１からステップＳ２６までの制御を実施するが、これに限らず、ステップＳ１４とステップＳ１９の処理である湿度上昇量ΔＨが予め定められた閾湿度上昇量ΔＨＴ以上である場合に換気装置３の運転を停止する制御を有していれば良い。例えば、冷感判定部３５ｆを備えておらず、ステップＳ３の処理が終了後にステップＳ８へ進みステップＳ４からステップＳ７までの処理を行わず、ステップＳ１４において湿度上昇量判定部３５ｇはΔＨ≧ΔＨＴの条件を満たしていないと判定（ステップＳ１４、ＮＯ）した場合にステップＳ１７へ進みステップＳ１５とステップＳ１６の処理を行わない換気装置でも良い。また、ステップＳ１９の処理が終了後に制御を終了し、ステップＳ１８からステップＳ２６までの処理を行わない換気装置でも良い。さらに、予備換気停止時間Ｔ１を実施の形態１の予備換気停止時間Ｔ１よりも長く設定し、ステップＳ２３においてＴ≧Ｔ１の条件を満たす（ステップＳ２３、ＹＥＳ）場合にステップＳ３へ進み、ステップＳ２４からステップＳ２８の処理を行わない換気装置でも良い。いずれの換気装置も、本発明の課題である給湯器２と通信を行わずに使用者が浴室に入る前に浴室の加湿暖房を行うことができる。
【００６７】
また、実施の形態１に係る換気装置３は、温度センサ３３及び湿度センサ３４を風路３１ｃ内に備えているが、これに限らず、浴室１００内部など浴室内温度Ｋと、浴室内湿度Ｈを測定できる場所であれば構わない。ただし、浴槽４に湯が供給された際により正確に
浴室内温度Ｋと浴室内湿度Ｈを測定できるよう、温度センサ３３及び湿度センサ３４は浴槽４よりも高所にあることが望ましい。
【００６８】
また、実施の形態１に係る換気装置３の一時換気停止時間Ｔ１や換気停止時間Ｔ２は、入力端末５より入力可能であっても構わない。例えば、使用者が入力端末５で設定した一時停止時間ＴＡに応じた値に換気停止時間Ｔ２を設定しても構わない。一時停止時間ＴＡが０．５時間、１．０時間又は１．５時間に設定されている場合、換気停止時間Ｔ２は一時停止時間ＴＡと同じ値に設定され、一時停止時間ＴＡの設定が解除されている場合は、１．０時間に設定されていても構わない。一時停止時間ＴＡは使用者が意図的に設定した値であるため、一時停止時間ＴＡと換気停止時間Ｔ２を同じ値に設定することによって、使用者の意思も組み込んだより適切な制御を行うことができる。
【符号の説明】
【００６９】
１  加湿暖房システム、２  給湯器、３  換気装置、４  浴槽、４ａ  開口、５  入力端末、５ａ  ２４時間換気運転ボタン、５ｂ  能力切替ボタン、５ｃ  浴室換気一時停止時間設定ボタン、５ｄ  停止ボタン、５ｅ  ２４時間換気運転表示部、５ｆ  能力表示部、５ｇ  浴室換気一時停止時間表示部、２１  配管、３１  ケーシング、３１ａ  吸込口、３１ｂ  排気口、３１ｃ  風路、３２  送風機、３２ａ  ファン、３２ｂ  ファンモータ、３３  温度センサ、３４  湿度センサ、３５  制御部、３５ａ  操作情報取得部、３５ｂ  浴室内湿度取得部、３５ｃ  浴室内温度取得部、３５ｄ  記憶部、３５ｅ  操作情報判定部、３５ｆ  冷感判定部、３５ｇ  湿度上昇量判定部、３５ｈ  温度上昇量判定部、３５ｉ  送風機制御部、３５ｊ  タイマー、３６  排気ダクト、１００  浴室、１０１  天井、２００  脱衣所、３００  建築物、３０１  壁、４００  室外空間
【図１】
2016205708.tif 000003
【図２】
2016205708.tif 000004
【図３】
2016205708.tif 000005
【図４】
2016205708.tif 000006
【図５】
2016205708.tif 000007
【図６】
2016205708.tif 000008